(57)【特許請求の範囲】
【請求項１】
冷蔵室と、前記冷蔵室の内部に設けられている棚部材と、前記棚部材を天井とする貯蔵室と、前記貯蔵室の前方に設けられている蓋部材と、前記棚部材の前方に設けられている、前記貯蔵室の内部を照射する照明装置とを備え、前記棚部材と前記蓋部材との間に鉛直方向の隙間が生じていて、前記隙間と前記照明装置との間に水切片が設けられていることを特徴とする冷蔵庫。
【請求項２】
前記照明装置は、前記貯蔵室の後方を照射することを特徴とする請求項１に記載の冷蔵庫。
【請求項３】
前記冷蔵室の内部には、鉛直方向に複数の棚が設けられていて、前記棚部材は、前記複数の棚のうち最下段の棚であることを特徴とする請求項１又は２に記載の冷蔵庫。
【請求項４】
前記照明装置の爪片は、少なくとも二つの突片に係合し、前記突片の少なくとも一つは、前記水切片に設けられていることを特徴とする請求項１〜３のいずれか１項に記載の冷蔵庫。
【請求項５】
前記貯蔵室は、パーシャル室或いはチルド室に切り替え可能であることを特徴とする請求項１〜４のいずれか１項に記載の冷蔵庫。
【発明の詳細な説明】
【技術分野】
【０００１】
本発明は冷蔵庫の冷蔵室内に設けた貯蔵室の照明構成に関するものである。
【背景技術】
【０００２】
一般に家庭用冷蔵庫は、冷蔵室、野菜室、冷凍室等を備え、更に前記冷蔵室内には当該冷蔵室よりも低温に冷却されるチルド室（冷蔵室よりも低く約１℃の温度帯とする室）あるいはパーシャル室（約−３℃の微凍結温度帯とする室）に切り替え可能な低温貯蔵室を設けたものが見られる。（例えば、特許文献１参照）。
【０００３】
図１７は特許文献１記載の冷蔵庫を示し、この冷蔵庫は冷蔵室１０１の下部に低温貯蔵室１０２を設け、この低温貯蔵室１０２はその上面を冷蔵室１０１の最下段に位置する棚板としても利用するカバー１０３で覆って構成してある。そして上記カバー１０３の下面には冷蔵室１０１内の照明装置とは別に低温貯蔵室１０２内を照射する照明装置１０４が設けてある。
【先行技術文献】
【特許文献】
【０００４】
【特許文献１】特開２０１２−２２００４７号公報
【発明の概要】
【発明が解決しようとする課題】
【０００５】
上記特許文献１に記載されている低温貯蔵室は、冷蔵室１０１内の照明装置とは別にカバー１０３下面に設けた照明装置１０４によって低温貯蔵室１０２内を照射するので、ナイフへの食品を確認しやすい利点がある。
【０００６】
しかしながら、上記低温貯蔵室１０２の照明装置１０４は当該照明装置１０４を装着したカバー１０３上の食品容器等から液体がこぼれても支障が生じないように低温貯蔵室１０２の前後方向の略中央部分に設けてあり、冷蔵室扉を開いて当該照明装置１０４が点灯してもその点灯を視認しにくいという課題があった。
【０００７】
すなわち、上記照明装置１０４を装着してある低温貯蔵室１０２のカバー１０３は乳白色系の合成樹脂で形成されていることが多く、光が透過しにくいため前記照明装置１４が点灯してもその点灯に気づきにくいのであった。
【０００８】
したがって、例えば、前記低温貯蔵室１０４をチルド用の温度帯にしている場合とパーシャル用の温度帯にしている場合とで照明の色を変えるようにしていても、その色の変化に気づきにくく、ユーザは腰をかがめて低温貯蔵室１０２前方の透明扉から低温貯蔵室内をのぞかなければならない場合が生じる等、使い勝手が今一つというものであった。
【０００９】
本発明は、貯蔵室内の照明装置について、棚部材からの液体こぼれによる障害が発生することを防止することを目的としたものである。
【課題を解決するための手段】
【００１０】
本発明の冷蔵庫は、冷蔵室と、前記冷蔵室の内部に設けられている棚部材と、前記棚部材を天井とする貯蔵室と、前記貯蔵室の前方に設けられている蓋部材と、前記棚部材の前方に設けられている、前記貯蔵室の内部を照射する照明装置とを備え、前記棚部材と前記蓋部材との間に鉛直方向の隙間が生じていて、前記隙間と前記照明装置との間に水切片が設けられていることを特徴とする。
【発明の効果】
【００１２】
本発明は、上記構成により、貯蔵室内の照明装置について、棚部材からの液体こぼれによる障害が発生することを防止できる。
【図面の簡単な説明】
【００１３】
【図１】本発明の実施の形態１における冷蔵庫の正面図
【図２】同実施の形態１における冷蔵庫の扉を開いた時の正面図
【図３】同実施の形態１における冷蔵庫の縦断面図
【図４】同実施の形態１における冷蔵庫の冷蔵室下部に設けた低温貯蔵室の拡大断面図
【図５】同実施の形態１における冷蔵庫の低温貯蔵室の照明装部分を示す拡大断面図
【図６】同実施の形態１における冷蔵庫の低温貯蔵室を構成するカバーを下方から見た斜視図
【図７】同実施の形態１における冷蔵庫のカバー体と照明装置の分解平面図
【図８】同実施の形態１における冷蔵庫を示す図１０のＡ部の拡大平面図
【図９】同実施の形態１における冷蔵庫のカバー体と配線カバーの分解平面図
【図１０】従来の冷蔵庫の低温貯蔵室部分を示す概略断面図
【発明を実施するための形態】
【００１４】
第１の発明は、冷蔵庫本体と、冷蔵庫本体に設けた冷蔵室と、前記冷蔵室の下部に区画形成した低温貯蔵室とを備え、前記低温貯蔵室の天井となるカバーの前方端部分に照明装置を設け、このカバーの前方端部分で照明装置上部を覆うとともに当該前方端部分の前部に照明装置前部を覆う水切片を設けた構成としてある。
【００１５】
これにより、低温貯蔵室の照明装置はカバーの前方端で点灯するので、その点灯を確実に視認することができるとともに、カバー上に載置した食品容器等から液体がこぼれて前記カバーの前方端へと流出したとしても当該液体は水切片によって下方へと滴下し、照明装置部分に入ってこれを故障させる等の障害を引き起こすこともなくなる。
【００１６】
第２の発明は、第１の発明において、前記照明装置はその光源体の下方部分を透明カバーで覆った構成としてある。
【００１７】
これにより、冷蔵室の扉を開閉した際の外気の光源体部分への侵入を防止して結露による障害を防止すると同時に、低温貯蔵室への食品の出し入れ時に食品や手等が光源体部分に触れてこれを損傷させることも防止でき、信頼性の高い低温貯蔵室付きの冷蔵庫とすることができる。
【００１８】
第３の発明は、第２の発明において、前記照明装置は、光源体を有する光源体基板と、この光源体基板を保持する基板収納部と、前記光源体の下方部分を覆う如く前記基板収納部に装着した透明カバーとで構成し、かつ前記照明装置を設けるカバーの前方端部分には照明装置装着部を設け、この照明装置装着部の一方端から前記基台保持部を挿入装着した構成としてある。
【００１９】
これにより、照明装置は照明装置装着部の一方から基板収納部を挿入していくだけでカバーに装着することができ、生産性が向上して安価に提供することができる。
【００２０】
第４の発明は、第１〜第３の発明において、前記低温貯蔵室のカバーは背面方向に延びるリード線装着部を備え、このリード線装着部に照明装置からのリード線を通して冷蔵庫本体からの電源リード線と接続した構成としてある。
【００２１】
これにより、カバーを利用して照明装置のリード線を冷蔵庫本体からの電源リード線に接続することができ、構成の合理化を図ることができる。
【００２２】
第５の発明は、第４の発明において、前記カバーは低温貯蔵室内に冷気を供給するダクト部を有する断熱材を有し、この断熱材の一側端部に照明装置からのリード線を通すリード線装着部を設けた構成としてある。
【００２３】
これにより、ダクト部を形成する断熱材の板厚を利用してリード線装着部を形成することができ、リード線装着部材を別途準備してこれをカバーに装着することによりリード線装着部を形成するような必要がなくなり、部材点数の削減と組み立て工数の削減が図れ、生産性が向上し、かつ、コストダウンも図ることができる。
【００２４】
以下、本発明の実施の形態について、図面を参照しながら説明する。尚、この実施の形態によって本発明が限定されるものではない。
【００２５】
（実施の形態１）
図１〜図９は本発明の実施の形態１を示すもので、まず、冷蔵庫全体の構成について説明する。
【００２６】
図１〜図３において、本実施の形態に係る冷蔵庫は、前方を開口した冷蔵庫本体１を備え、この冷蔵庫本体１は、図３に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５、６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００２７】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００２８】
また、冷蔵庫本体１の背面には冷気を生成する冷却室１６と冷却室１６からの冷気を前記冷蔵室７、野菜室８、冷凍室９に供給循環させる冷気通路１７が設けられている。前記冷却室１６は冷凍室９の背面から野菜室８の下部背面に渡って形成されており、野菜室８との間は発泡スチロール等によって断熱性を持たせた背面壁体１８によって断熱仕切りしてある。
【００２９】
冷却室１６内には冷却器１９が配設されており、冷却器１９の上部には冷却ファン２０が配置されている。前記冷却ファン２０は、冷却器１９により冷却された冷気を、冷気通路１７を介し冷蔵室７、野菜室８、冷凍室９に強制循環させて各室を冷却するものである。例えば、冷蔵室７は食品が凍らない程度の温度通常１℃〜５℃に冷却し、野菜室８は冷蔵室７と同等もしくは若干高めの温度２℃〜７℃に冷却している。また、冷凍室９は冷凍
保存のために通常−２２℃〜−１５℃の冷凍温度帯に冷却しており、場合によっては冷凍保存状態向上のために、例えば−３０℃や−２５℃の低温に冷却することもある。
【００３０】
前記冷却室１６からの冷気によって冷却される冷蔵室７には食品を載置する複数の棚板２１が設けてあり、かつ、側壁前部には照明装置（図示せず）が設置してあって扉１０を開くと点灯し冷蔵室７内を照射するようになっている。
【００３１】
また、上記冷蔵室７にはその下部に低温貯蔵室２３が区画形成してある。以下、この低温貯蔵室２３の構成について図４〜図９を用いて説明する。
【００３２】
まず上記低温貯蔵室２３はその上面を冷蔵室７の最下段に位置する棚板としても利用するカバー２４で覆って形成してある。
【００３３】
上記カバー２４は、図４、図５に示すように、ガラス板等からなるカバー上板２５と合成樹脂製のカバー下枠２６と、それらの間に設けた発泡スチロール等の断熱材２７とから構成してある。そして、上記断熱材２７にはカバー下枠２６に開口する多数の吹出し口２８を有するダクト部２９が形成してあり、冷蔵室７内にセットすることによって前記ダクト部２９が冷蔵庫本体１背面の冷気通路１７に連通し冷気が供給され、この冷気によって低温貯蔵室２３内を冷却するようになっている。なお、前記断熱材２７はカバー下枠２６に圧入装着してあり、その後部には図６に示すように冷蔵庫本体１の冷気通路１７に接続する接続部３０が設けてある。
【００３４】
また、前記低温貯蔵室２３はそのカバー２４の前端部にカバー２４の一部ともなる合成樹脂製のカバー枠３１が装着してある。このカバー枠３１はその後方に設けた断面略コ字状部３２を前記カバー上板２５に嵌合して装着してあり、その前方下面部分には冷蔵室７内の照明装置３３とは別に低温貯蔵室２３内を照射する照明装置３３が装着してある。
【００３５】
照明装置３３はカバー２４の前方端左右方向の略全域に亘って設けてあり、冷蔵室７の扉１０を開くことによって点灯するようになっている。
【００３６】
上記照明装置３３は、図５に示すように、複数のＬＥＤからなる光源体３４を有する光源体基板３５と、上記光源体基板３５を収納保持する断面略Ｈ状の基板収納部３６と、前記基板収納部３６に装着されて前記光源体基板３５の複数の光源体３４を下方から覆う断面略Ｕ字状の透明カバー３７とで構成してある。
【００３７】
光源体基板３５は図５に示すようにその光源体３４が低温貯蔵室２３の斜め後方を照射する様に傾斜させて取り付けてあり、透明カバー３７を介して低温貯蔵室２３内を照射する。
【００３８】
また、前記照明装置３３を装着したカバー２４前方端部分の前部には下向きに垂設した水切片３８が形成してあり、その下端部は前記基板収納部３６に対する透明カバー３７の嵌合装着部より下方まで位置させて照明装置３３の前部を覆うようにしてある。
【００３９】
さらに、前記カバー２４の前方端下面には図５、図８に示すようにその前後部分に突片からなる照明装置装着部３９を形成し、前記照明装置３３の基板収納部３６に設けた爪片４０をスライド係合させて当該照明装置装着部３９に照明装置３３を装着してある。
【００４０】
また、前記カバー２４を構成する断熱材２７の左右いずれか一側端部、この例では図７、図９に示すカバー２４の右側部分には背面方向に延びる凹状のリード線装着部４１が形成してあり、このリード線装着部４１に前記照明装置３３からのリード線４３を通し、冷
蔵庫本体１から導出した電源リード線（図示せず）と接続してある。
【００４１】
上記リード線装着部４１の開口は配線カバー４２で覆ってある。この配線カバー４２は図９に示すようにその両側にカバー爪片４４が設けてあり、前記リード線装着部４１の開口縁部分に沿ってスライドさせることによりその開口縁部分に設けた開口突片４４ａに係合させて装着してある。
【００４２】
なお、前記低温貯蔵室２３の前面部には透明な蓋４５が設けてあり、内部に設けた容器４６の引出によってその上部を中心に回動して開くようになっている。
【００４３】
以上のように構成された冷蔵庫について、次にその作用効果を説明する。
【００４４】
まず、この冷蔵庫は、冷蔵室７の扉１０を開くと、冷蔵室内の照明装置３３とともに低温貯蔵室２３の照明装置３３も点灯し、低温貯蔵室２３内を照射する。この照明装置３３による照射は、前記照明装置３３の光源体３４が斜め後方向きに配置されているので、低温貯蔵室２３内の奥部分まで明るくすることができ、低温貯蔵室２３内に保存されている食品を明瞭に視認することができる。
【００４５】
そして、上記低温貯蔵室２３の照明装置３３は低温貯蔵室２３を形成するカバー２４の前方端部分に設けてあるから、カバー２４の前方端部分が明るくなって、当該カバー２４上に食品や鍋等の容器が載置されていても、その点灯を確実に視認することができる。したがって、使用者は腰をかがめるなどしなくても低温貯蔵室２３の照明装置３３の点灯を認識することができ、使い勝手が向上する。
【００４６】
また、上記カバー２４上に載置した容器が転倒するなどして液体が流出し、これが照明装置３３を設けたカバー２４の前方端部分まで流出してきたとしても、カバー２４の前方端部分に設けた水切片３８によって照明装置３３の前部を覆っているので、前記液体は照明装置３３内に侵入することなくそのまま下方へと滴下する。したがって、照明装置３３をカバー２４の前方端部分に設けたことによる照明装置３３の故障等を確実に防止することができる。
【００４７】
一方、前記低温貯蔵室２３内に食品を出し入れする際、食品或いは食品を持つ手が低温貯蔵室２３の開口上部に位置することになる照明装置３３に触れることがある。しかしながら、この実施の形態で示す照明装置３３はその光源体３４および光源体基板３５の下方を透明カバー３７で覆っているから、食品や手が触れても断線もしくはショートする恐れがなく安心して使用することができるとともに光源体３４、光源体基板３５での結露発生を防止できる。
【００４８】
また、上記照明装置３３はカバー２４の前方端部分下面に形成した突片からなる照明装置装着部３９に基板収納部３６の爪片４０を係合させて装着してあるから、図８に示すように、光源体基板３５および透明カバー３７を装着してユニット化した基板収納部３６を前記照明装置装着部３９の一方端からスライド挿入させていけば装着することができる。したがってビス止め等の作業を必要とせず、組み立て工数の大幅な削減が可能となってその生産性が大きく向上する。
【００４９】
さらに、前記照明装置３３のリード線４３はカバー２４を利用して背面へと引き込み、冷蔵庫本体１からの電源リード線に接続してあるから、冷蔵庫本体１の内箱３内面にリード線装着用凹部を設ける等の必要がなく、冷蔵庫本体１の内箱構成の複雑化を誘発することなく合理的に処理することができる。
【００５０】
しかも、この実施の形態では、上記カバー２４を構成する断熱材２７にリード線装着部４１を設けているから、断熱材２７の板厚を利用して当該断熱材２７自体に凹溝を形成するなどしてリード線装着部４１を設けることができる。したがって、別途リード線装着部材を準備しこれをカバー２４に装着することによりリード線装着部を形成するような必要がなくなり、部材点数の削減と組み立て工数の削減が図れ、生産性が向上し、かつ、コストダウンも促進で来る。
【００５１】
加えて、上記リード線装着部４１には配線カバー４２を装着してリード線４３を覆っているが、この配線カバー４２も前記照明装置３３と同様、リード線装着部４１の一方端からスライド挿入させていけば、配線カバー４２の両側に設けたカバー爪片４４が前記リード線装着部４１の開口縁部分に設けてある開口突片４４ａに係合し、装着することができる。したがってこの配線カバー４２もビス止め等の作業をすることなく装着でき、組み立て工数を削減して生産性を向上させることができる。
【００５２】
なお、この実施の形態で例示した低温貯蔵室２３はカバー２４を構成する断熱材２７にダクト部２９と吹出し口２８を設けているので、冷気通路１７からの冷気を低温貯蔵室２３内に供給しこれを冷蔵室内温度とは異なる温度で冷却することができる。その際、図示はしないが前記ダクト部２９に供給する冷気の量をダンパ等によって調節し、当該低温貯蔵室２３をパーシャル室或いはチルド室に切り替え可能としてある。
【００５３】
また、前記吹出し口２８は照明装置３３の透明カバー３７の下端よりも下方位置で開口する様に設けてあり、照明装置３３に最も近い吹出し口２８からの冷気は後方寄りに吹出すようにしてある。
【００５４】
以上、本発明の実施の形態を説明してきたが、上記実施の形態で説明した構成は本発明を実施する一例として示したものであり、本発明の目的を達成する範囲で種々変更可能なことは言うまでもない。
【産業上の利用可能性】
【００５５】
本発明は、冷蔵庫本体側にリード線等収納部を設けることなくリード線等の収納処理が可能でメンテナンス作業も容易に行える冷蔵庫を提供することができる。よって、家庭用はもちろん業務用冷蔵庫やショーケース等多くの用途に幅広く適用することができる。
【符号の説明】
【００５６】
１  冷蔵庫本体
２  外箱
３  内箱（冷蔵庫本体内箱）
４  発泡断熱材
５、６  仕切板
７  冷蔵室
８  野菜室
９  冷凍室
１０、１１、１２  扉
１４  機械室
１５  圧縮機
１６  冷却室
１７  冷気通路
１８  背面壁体
１９  冷却器
２０  冷却ファン
２１  棚板
２３  低温貯蔵室
２４  カバー
２５  カバー上板
２６  カバー下枠
２７  断熱材
２８  吹出し口
２９  ダクト部
３０  接続部
３１  カバー枠
３２  断面略コ字状部
３３  照明装置
３４  光源体
３５  光源体基板
３６  基板収納部
３７  透明カバー
３８  水切片
３９  照明装置装着部
４０  爪片
４１  リード線装着部
４２  配線カバー
４３  リード線
４４  カバー爪片
４４ａ  開口突片
４５  蓋
４６  容器
【図１】
0006442705.tif 000002
【図２】
0006442705.tif 000003
【図３】
0006442705.tif 000004
【図４】
0006442705.tif 000005
【図５】
0006442705.tif 000006
【図６】
0006442705.tif 000007
【図７】
0006442705.tif 000008
【図８】
0006442705.tif 000009
【図９】
0006442705.tif 000010
【図１０】
0006442705.tif 000011